(57)【要約】【課題】  曲等の音声コンテンツの録音及び再生を行う際の操作性を向上することができる音響装置及びその制御方法を提供する。【解決手段】  ＣＤＤＡの再生中に、音響装置１０が備える複数の録音再生用操作子Ａ〜Ｆのいずれかが操作された場合、再生中の曲の圧縮音声信号を、記憶装置２２における操作された録音再生用操作子に予め割り当てた記憶領域に記憶させ、ＣＤＤＡの非再生中に、録音再生用操作子Ａ〜Ｆのいずれかが操作された場合、記憶装置２２における操作された録音再生用操作子に予め割り当てられた記憶領域に記憶された圧縮音声信号を再生するようにした。【選択図】      図１
2006139838.tif 000002
【特許請求の範囲】
【請求項１】
複数の録音再生用操作子を有する操作手段と、
前記複数の録音再生用操作子の各々に割り当てられた複数の記憶領域を有する記憶手段と、
音声信号の入力中に、前記録音再生用操作子のいずれかが操作された場合、前記音声信号を、前記操作された録音再生用操作子に割り当てられた記憶領域に記憶させると共に、音声信号の非入力中に、前記録音再生用操作子のいずれかが操作された場合、前記操作された録音再生用操作子に割り当てられた記憶領域に記憶された音声信号を再生させる制御手段と
を備えることを特徴とする音響装置。
【請求項２】
前記制御手段は、音声信号に圧縮処理を施す圧縮手段を備え、この圧縮手段により圧縮処理を施した後の音声信号を前記記憶手段に記憶させると共に、前記記憶手段に記憶された音声信号に伸張処理を施す伸張手段を備えることを特徴とする請求項１に記載の音響装置。
【請求項３】
前記制御手段は、音声信号の入力中に前記録音再生用操作子のいずれかが操作された場合、前記操作された録音再生用操作子に割り当てられた記憶領域に音声信号が記憶済みか否かを判定し、音声信号が記憶済みでない場合にのみ前記音声信号を記憶させることを特徴とする請求項１又は２に記載の音響装置。
【請求項４】
前記制御手段は、音声信号の入力中に前記録音再生用操作子のいずれかが操作された場合、前記操作された録音再生用操作子に割り当てられた記憶領域に音声信号が記憶済みか否かを判定すると共に、記憶済みと判定した際に、録音不可である旨を報知する報知手段を有することを特徴とする請求項３に記載の音響装置。
【請求項５】
前記制御手段は、音声信号の非入力中に、前記録音再生用操作子のいずれかが操作された場合、前記操作された録音再生用操作子に割り当てられた記憶領域に音声信号が記憶済みか否かを判定し、音声信号が記憶済みの場合にのみ再生を行うと共に、音声信号が記憶済みでない場合、その旨を前記報知手段により報知させることを特徴とする請求項４に記載の音響装置。
【請求項６】
前記操作手段は、消去用操作子を備え、
前記制御手段は、前記記憶手段に記憶された音声信号の再生中に、前記消去用操作子が操作された場合、前記再生中の音声信号を前記記憶手段から消去することを特徴とする請求項１乃至５のいずれかに記載の音響装置。
【請求項７】
前記音響装置は、音楽情報記録媒体に記録された、音声信号を示す曲データを読みとって再生する音声再生手段を備え、
前記制御手段は、前記音楽情報記録媒体に記録された曲データの再生中に、前記録音再生用操作子のいずれかが操作された場合、前記音楽情報記録媒体に記録された曲データ又はこの曲データの圧縮データと、前記音楽情報記録媒体に記録された、前記曲データに関連する関連データとを、前記操作された録音再生用操作子に割り当てられた記憶領域に記憶させることを特徴とする請求項１乃至６のいずれかに記載の音響装置。
【請求項８】
前記記憶手段は、半導体メモリであることを特徴とする請求項１乃至７のいずれかに記載の音響装置。
【請求項９】
前記半導体メモリは不揮発性であることを特徴とする請求項８に記載の音響装置。
【請求項１０】
前記音響装置は、車両に搭載されていることを特徴とする請求項１乃至９のいずれかに記載の音響装置。
【請求項１１】
音声信号を入力して再生する音響装置であって、音声信号を記憶させる記憶手段を備えた音響装置の制御方法において、
音声信号の入力中に、当該音響装置が備える複数の録音再生用操作子のいずれかが操作された場合、前記音声信号を、前記記憶手段における前記操作された録音再生用操作子に予め割り当てられた記憶領域に記憶させる録音ステップと、
音声信号の非入力中に、前記録音再生用操作子のいずれかが操作された場合、前記記憶手段における前記操作された録音再生用操作子に予め割り当てられた記憶領域に記憶された音声信号を再生させる再生ステップと
を有することを特徴とする音響装置の制御方法。
【発明の詳細な説明】
【技術分野】
【０００１】
本発明は、音声信号を録音し、或いは、録音した音声信号を再生する音響装置及びその制御方法に関する。
【背景技術】
【０００２】
従来より、ＣＤＤＡ（Compact Disc Digital Audio）に記憶された曲データを圧縮してＨＤＤ（Hard Disk Drive）装置に蓄積し、このＨＤＤ装置に蓄積された曲データを再生する音響装置が知られている。
この種の音響装置は、ＨＤＤ装置に記憶された複数の曲データを、例えばアルバム単位でグループ化して１つのフォルダとして扱うフォルダ管理機能を備えものがある（例えば、特許文献１）。
この音響装置は、表示装置を備え、録音を行う場合は、表示装置にフォルダの一覧を表示し、その中から録音先のフォルダの選択操作を受け付け、或いは、録音先の新規フォルダの作成操作を受け付けるようになっている。また、再生を行う場合は、表示装置にフォルダを一覧表示し、その中から再生先のフォルダの選択操作を受け付けるようになっている。
【特許文献１】特開２００２−３７３０９７号公報
【発明の開示】
【発明が解決しようとする課題】
【０００３】
しかし、従来の構成では、希望の曲を再生したい場合、ユーザは、フォルダの一覧を作成順又は名称順で表示させる操作をした後、目的の曲を含むフォルダの選択操作を行う必要があるため、操作回数が多くなってしまう問題があった。
また、従来の構成では、フォルダの一覧を表示させる表示装置が必要で、表示面積が限られる車載用の音響装置等では、全てのフォルダを一度で表示できない場合があり、フォルダの選択操作に要する操作回数が更に増え、操作がより煩雑になってしまう問題が生じる。
【０００４】
本発明は、上述した事情に鑑みてなされたものであり、録音及び再生する際の操作性を向上することができる音響装置及びその制御方法を提供することを目的としている。
【課題を解決するための手段】
【０００５】
上述した課題を解決するため、本発明は、音響装置において、複数の録音再生用操作子を有する操作手段と、前記複数の録音再生用操作子の各々に割り当てられた複数の記憶領域を有する記憶手段と、音声信号の入力中に、前記録音再生用操作子のいずれかが操作された場合、前記音声信号を、前記操作された録音再生用操作子に割り当てられた記憶領域に記憶させると共に、音声信号の非入力中に、前記録音再生用操作子のいずれかが操作された場合、前記操作された録音再生用操作子に割り当てられた記憶領域に記憶された音声信号を再生させる制御手段とを備えることを特徴とする。
【０００６】
また、本発明は、上記構成において、前記制御手段は、音声信号に圧縮処理を施す圧縮手段を備え、この圧縮手段により圧縮処理を施した後の音声信号を前記記憶手段に記憶させると共に、前記記憶手段に記憶された音声信号に伸張処理を施す伸張手段を備えることを特徴とする。
【０００７】
また、本発明は、上記構成において、前記制御手段は、音声信号の入力中に前記録音再生用操作子のいずれかが操作された場合、前記操作された録音再生用操作子に割り当てられた記憶領域に音声信号が記憶済みか否かを判定し、音声信号が記憶済みでない場合にのみ前記音声信号を記憶させることを特徴とする。
【０００８】
また、本発明は、上記構成において、前記制御手段は、音声信号の入力中に前記録音再生用操作子のいずれかが操作された場合、前記操作された録音再生用操作子に割り当てられた記憶領域に音声信号が記憶済みか否かを判定すると共に、記憶済みと判定した際に、録音不可である旨を報知する報知手段を有することを特徴とする
【０００９】
また、本発明は、上記構成において、音声信号の非入力中に、前記録音再生用操作子のいずれかが操作された場合、前記操作された録音再生用操作子に割り当てられた記憶領域に音声信号が記憶済みか否かを判定し、音声信号が記憶済みの場合にのみ再生を行うと共に、音声信号が記憶済みでない場合、その旨を前記報知手段により報知させることを特徴とする。
【００１０】
また、本発明は、上記構成において、前記操作手段は、消去用操作子を備え、前記制御手段は、前記記憶手段に記憶された音声信号の再生中に、前記消去用操作子が操作された場合、前記再生中の音声信号を前記記憶手段から消去することを特徴とする。
【００１１】
また、本発明は、上記構成において、前記音響装置は、音楽情報記録媒体に記録された、音声信号を示す曲データを読みとって再生する音声再生手段を備え、前記制御手段は、前記音楽情報記録媒体に記録された曲データの再生中に、前記録音再生用操作子のいずれかが操作された場合、前記音楽情報記録媒体に記録された曲データ又はこの曲データの圧縮データと、前記音楽情報記録媒体に記録された、前記曲データに関連する関連データとを、前記操作された録音再生用操作子に割り当てられた記憶領域に記憶させることを特徴とする。
【００１２】
また、本発明は、上記構成において、前記記憶手段は、半導体メモリであってもよく、この半導体メモリが不揮発性であってもよい。また、本発明は、上記構成において、前記音響装置は、車両に搭載されていることを特徴とする。
【００１３】
また、本発明は、音声信号を入力して再生する音響装置であって、音声信号を記憶させる記憶手段を備えた音響装置の制御方法において、音声信号の入力中に、当該音響装置が備える複数の録音再生用操作子のいずれかが操作された場合、前記音声信号を、前記記憶手段における前記操作された録音再生用操作子に予め割り当てられた記憶領域に記憶させる録音ステップと、音声信号の非入力中に、前記録音再生用操作子のいずれかが操作された場合、前記記憶手段における前記操作された録音再生用操作子に予め割り当てられた記憶領域に記憶された音声信号を再生させる再生ステップとを有することを特徴とする。
【００１４】
また、本発明は、以上説明した音響装置及びその制御方法に適用する他、この発明を実施するための制御プログラムを電気通信回線を介して一般ユーザに配布したり、そのようなプログラムを、磁気記録媒体、光記録媒体、半導体記録媒体等のコンピュータに読み取り可能な記録媒体に格納して一般ユーザに配布する、といった態様でも実施され得る。
【発明の効果】
【００１５】
本発明は、音声信号の入力中に、録音再生用操作子のいずれかが操作された場合、音声信号を、操作された録音再生用操作子に割り当てられた記憶領域に記憶させると共に、音声信号の非入力中に、録音再生用操作子のいずれかが操作された場合、操作された録音再生用操作子に割り当てられた記憶領域に記憶された音声信号を再生するので、録音及び再生する際の操作性を向上することができる。
【発明を実施するための最良の形態】
【００１６】
以下、図面を参照しつつ本発明の実施の形態について説明する。
図１は、本実施形態に係る音響装置を示すブロック図である。
この音響装置１０は、自動車等の車両に搭載される車載用音響装置であり、ＣＤＤＡ再生装置１１と、制御部１２と、音声再生部１３と、表示部１４と、操作部１５とを備えている。ＣＤＤＡ再生装置１１は、ＣＤＤＡ（Compact Disc Digital Audio：音楽ＣＤ）が装填可能で、装填されたＣＤＤＡから曲データやＴＯＣ（Table of Contents）のデータを読み出し、読み出したデータを制御部１２に出力する。ここで、ＴＯＣデータ（関連データ）は曲数や演奏時間等を含むデータである。
【００１７】
制御部１２は、ＣＰＵ、ＣＰＵが実行する制御プログラムを格納するＲＯＭ、各種データを一時的に格納するＲＡＭ等を備え、音響装置１０全体を制御するコンピュータとして機能する。また、この制御部１２は、ＣＤＤＡ再生装置１１から入力した曲データを復号してデジタル音声信号を生成する機能を具備している。
【００１８】
音声再生部１３は、Ｄ／Ａ変換回路や増幅回路を備え、制御部１２の制御の下、Ｄ／Ａ変換回路により、デジタル音声信号をアナログデジタル変換してアナログ音声信号を生成し、この音声信号を、アンプにより増幅してスピーカーに出力する。表示部１４は、例えば小型の液晶パネルと駆動回路から構成され、制御部１２の制御の下、再生中の曲順や演奏時間等の各種情報を表示する。
【００１９】
また、この音響装置１０は、圧縮部２０と、駆動部２１と、記憶装置２２と、展開部（伸張手段）２３とを備えている。圧縮部２０は、制御部１２の制御の下、曲データに対応するデジタル音声信号に所定の圧縮処理を施すことによって、データ量を低減した圧縮曲データを生成し、駆動部２１は、制御部１２の制御の下、記憶装置２２に上記圧縮曲データを記憶させる書込制御を行う。また、駆動部２１は、制御部１２の制御の下、記憶装置２２に記憶された圧縮曲データの読み出し制御を行い、展開部２３は、圧縮曲データに対して伸張処理を施してデジタル音声信号に展開して音声再生部１３に出力する。
【００２０】
すなわち、この音響装置１０は、ＣＤＤＡを再生する再生機能の他、ＣＤＤＡに記憶された曲データをデータ圧縮して記憶装置２２に記憶する録音機能と、記憶装置２２に記憶された圧縮曲データを再生する圧縮曲データ再生機能とを具備している。
【００２１】
記憶装置２２は、フラッシュメモリ等の不揮発性の半導体メモリであり、多数の圧縮曲データを記憶可能な記憶容量を備えている。この記憶装置２２に半導体メモリを使用したため、記憶装置２２にＨＤＤ装置を使用する場合に比して記憶装置２２を小型にでき、記憶装置２２のレイアウトの自由度を向上させることができる。また、この半導体メモリに着脱自在な公知の携帯型メモリを適用してもよい。この場合、音響装置１０に装着する携帯型メモリの交換や、この携帯型メモリに記憶された圧縮曲データを他の機器（例えばＰＣ（Personal Computer））で再生することが可能となる。
【００２２】
本実施形態では、操作部１５が、ユーザが電源投入やＣＤＤＡの再生、停止等の基本的な操作を行うための操作子の他、録音や記憶装置２２に記憶された圧縮曲データの再生を指示するための複数（本実施形態では６個）の押下式の録音再生用操作子Ａ〜Ｆと、圧縮曲データの消去を指示するための押下式の消去用操作子Ｘとを備えている。そして、この音響装置１０においては、最初の電源投入時に、制御部１２が、操作部１５に対して録音再生用操作子Ａ〜Ｆの数の問い合わせを行い、記憶装置２２に、図２に示すように、録音再生用操作子Ａ〜Ｆの数と同数の記憶領域Ｒ１〜Ｒ６を確保する領域確保処理を実行する。このため、録音再生用操作子Ａ〜Ｆの実際の数と同数の記録領域Ｒ１〜Ｒ６を適切に確保することができる。
【００２３】
この場合、記憶領域Ｒ１〜Ｒ６は、図２に示すように、どの録音再生用操作子に割り当てた領域かを示す識別データを格納する格納領域と、圧縮曲データの格納領域と、ＴＯＣデータの格納領域とが割り当てられる。
【００２４】
次に、録音再生用操作子Ａ〜Ｆを用いて録音及び圧縮曲データの再生を行う場合の動作を説明する。図３は、録音動作を示すフローチャートである。
ＣＤＤＡ再生装置１１及び音声再生部１３によりＣＤＤＡの再生中、つまり、音声信号に対応する曲データの入力中に、録音再生用操作子Ａ〜Ｆのいずれかが押下操作されたことを検出すると（ステップＳ１）、制御部１２は、押下操作された録音再生用操作子に割り当てた記憶装置２２の記憶領域に圧縮曲データが記憶済みか否かを判定する（ステップＳ２）。
例えば、制御部１２は、録音再生用操作子Ａが押下操作された場合には、記憶領域Ｒ１に圧縮曲データが記憶済みか否かを判定し、録音再生用操作子Ｂが押下操作された場合には、記憶領域Ｒ２に圧縮曲データが記憶済みか否かを判定する。以下、録音再生用操作子Ａが押下操作された場合を例に説明する。
【００２５】
記憶領域Ｒ１に圧縮曲データが記憶されていない場合（ステップＳ２：NO）、制御部１２は、ＣＤＤＡ再生装置１１によりＣＤＤＡに記録された全ての曲データとＴＯＣデータとを読み出し、読み出した曲データを、圧縮部２０によりデータ圧縮させて圧縮曲データを順次生成し（ステップＳ３）、生成した圧縮曲データとＴＯＣデータとを、駆動部２１により記憶装置２２の記憶領域Ｒ１に記憶させる（ステップＳ４）。
これにより、ユーザがＣＤＤＡの視聴中に音再生用操作子Ａ〜Ｆのいずれかを一回操作するだけで、そのＣＤＤＡの全曲（アルバム曲）に対応する圧縮曲データを、押下操作された録音再生用操作子に割り当てられた記憶領域に記憶させることができ、本実施形態では、録音再生用操作子Ａ〜Ｆと同数の６枚のＣＤＤＡのアルバム曲を取り込むことができる。
【００２６】
一方、ステップＳ２の判定において、圧縮曲データが記憶済みであった場合（ステップＳ２：YES）、制御部１２は、その旨を表示部１４に表示させ、ユーザに録音できない旨を報知する（ステップＳ５）。なお、この録音時においては、ＣＤＤＡの再生を中止してもよいし、ＣＤＤＡの再生を継続してもよい。
【００２７】
図４は、圧縮曲データの再生動作を示すフローチャートである。
ＣＤＤＡの非再生中、言い換えると、曲データの非入力中に、録音再生用操作子Ａ〜Ｆのいずれかが押下操作されたことを検出すると（ステップＳ１１）、制御部１２は、押下操作された録音再生用操作子に割り当てた記憶装置２２の記憶領域に圧縮曲データが記憶済みか否かを判定する（ステップＳ１２）。例えば、録音再生用操作子Ａが押下操作された場合、記憶装置２２の記憶領域Ｒ１に圧縮曲データが記憶済みか否かを判定する。
【００２８】
記憶領域Ｒ１に圧縮曲データが記憶済みの場合（ステップＳ１２：YES）、制御部１２は、その記憶領域Ｒ１に記憶された圧縮曲データを順次読み出し、読み出した圧縮曲データを、展開部２３により伸張処理させてデジタル音声信号に展開し（ステップＳ１３）、このデジタル音声信号を音声再生部１３に出力して対応する音声をスピーカーから放音させる（ステップＳ１４）。
この場合、制御部１２は、記憶領域Ｒ１に記憶されたＴＯＣデータを参照することにより、ＣＤＤＡに記録されている場合と同じ曲順で再生し、かつ、再生中の曲の演奏時間を表示部１４に表示させる。これにより、ユーザが録音再生用操作子を一回操作するだけで、記憶装置２２に蓄積された圧縮曲データの中から所望の圧縮曲データを再生することができる。
【００２９】
一方、ステップＳ１２の判定において、圧縮曲データが記憶されていない場合（ステップＳ１２：NO）、制御部１２は、その旨を表示部１４に表示させ、ユーザに再生できない旨を報知する（ステップＳ１５）。
【００３０】
また、制御部１２は、図５に示すように、記憶装置２２に記憶された圧縮曲データの再生中に、消去用操作子Ｘが押下操作されたことを検出すると（ステップＳ２１）、再生中の圧縮曲データが記憶されている記憶領域内のデータを消去する（ステップＳ２２）。
例えば、記憶装置２２の記憶領域Ｒ１に記憶された圧縮曲データを再生中に、消去用操作子Ｘが押下操作されると、制御部１２は、記憶領域Ｒ１に記憶された全ての圧縮曲データ、ＴＯＣデータ及び識別を消去させる。従って、ユーザは、消去対象の圧縮曲データを視聴中に、消去用操作子Ｘを一回操作するだけで、その圧縮曲データを含む曲データを簡易に消去させることができる。
【００３１】
以上説明したように、本実施形態に係る音響装置１０は、ＣＤＤＡの再生中に、録音再生用操作子Ａ〜Ｆのいずれかが操作されると、ＣＤＤＡに記録された曲データを、操作された録音再生用操作子に割り当てた記憶領域に記憶すると共に、ＣＤＤＡの非再生中に、録音再生用操作子Ａ〜Ｆのいずれかが操作されると、操作された録音再生用操作子に割り当てた記憶領域に記憶された圧縮曲データを再生するので、録音再生用操作子を一回操作するだけで、録音と再生とを行うことができ、録音及び再生する際の操作性が向上する。
また、本実施形態では、ＣＤＤＡ内の曲（アルバム曲）の録音を開始させる操作子と、この操作子によって録音されたアルバム曲を再生させる操作子とが共通であるため、録音した複数のアルバム曲の中から再生したいアルバム曲を容易に選択することができる。このため、この音響装置１０は、曲選択時に、録音したアルバム曲をグループ化したフォルダの一覧を表示させる従来のものに比して、アルバム曲を選択するための一覧画面等を表示させる必要がない分、表示面積を小さくすることができ、表示面積が限られる車載装置であっても、録音及び再生する際の操作性をより向上させることができる。
【００３２】
上述した実施形態は、本発明の一態様を示すものであり、この発明を限定するものではなく、本発明の範囲内で任意に変更可能である。さらに、実施例で示した構成はそれに限定されるものでは無く、本発明の趣旨を逸脱しない範囲で適宜変更が可能である。
【００３３】
例えば、上述の実施形態では、ＣＤＤＡの再生中に、録音再生用操作子Ａ〜Ｆのいずれかが操作されると、ＣＤＤＡに記録された全ての曲を録音する場合について述べたが、再生中の曲だけを録音するようにしてもよい。具体的には、例えば、ＣＤＤＡの再生中に録音再生用操作子Ａが操作された場合、制御部１２は、ＣＤＤＡ再生装置１１により再生中の一曲分の曲データを読み取り、この一曲分の曲データを、圧縮部２０によりデータ圧縮させて記憶装置２２の記憶領域Ｒ１に記憶させるようにすればよい。
【００３４】
また、上述の実施形態では、ＣＤＤＡ再生装置１１を具備する音響装置に本発明を適用する場合について述べたが、ＣＤＤＡ再生装置１１が外部接続される音響装置に適用してもよい。また、本発明は、ＣＤＤＡに記憶された曲の音声信号を録音する音響装置に適用する場合に限らず、ラジオ放送の音声信号或いは外部から入力した音声信号を録音する音響装置に広く適用することができ、また、車載用の音響装置に限らず、車載以外の音響装置に広く適用することができる。更に、上述の実施形態では、デジタル録音の場合について述べたが、アナログ録音する場合にも本発明の適用が可能である。
【００３５】
また、上述の実施形態では、表示部１４によりユーザに対する各種報知（上記ステップＳ５及びＳ１５の報知）を行う場合について述べたが、音声で各種報知を行ってもよい。具体的には、制御部１２が各種報知に対応する音声データを予め記憶し、この音声データを上記ステップＳ５及びＳ１５の処理実行時に音声再生部１３に出力すればよい。この場合、制御部１２及び音声再生部１３が報知手段として機能するため、表示部１４を具備しない音響装置にも本発明を適用することができる。
【００３６】
また、上述の実施形態では、録音、再生及び消去を行うための制御プログラムを制御部１２のＲＯＭに予め記憶しておく場合について述べたが、この制御プログラムを、磁気記録媒体、光記録媒体、半導体記録媒体などのコンピュータが読み取り可能な記録媒体に格納し、コンピュータが記録媒体からこの制御プログラムを読み取って実行するようにしてもよい。また、この制御プログラムを通信ネットワーク上の配信サーバなどからダウンロードできるようにしてもよい。
【図面の簡単な説明】
【００３７】
【図１】本実施形態に係る音響装置を示すブロック図である。
【図２】記憶装置の説明に供する図である。
【図３】録音動作を示すフローチャートである。
【図４】圧縮曲データの再生動作を示すフローチャートである。
【図５】圧縮曲データの消去動作を示すフローチャートである。
【符号の説明】
【００３８】
１０  音響装置
１１  ＣＤＤＡ再生装置
１２  制御部
１３  音声再生部
１４  表示部
１５  操作部
２０  圧縮部
２１  駆動部
２２  記憶装置
２３  展開部
Ａ〜Ｆ  録音再生用操作子
Ｘ  消去用操作子
Ｒ１〜Ｒ６  記憶領域
【図１】
2006139838.tif 000003
【図２】
2006139838.tif 000004
【図３】
2006139838.tif 000005
【図４】
2006139838.tif 000006
【図５】
2006139838.tif 000007